(57)【特許請求の範囲】
【請求項１】
同軸コネクタの受け口及び前記受け口に電気的に接続されるとともに同軸ケーブルが接続される端子部を有するコネクタ部と、前面が略矩形状に形成されるとともに施工面に固定される取付枠に結合される取付け部を有する器具本体とを備え、当該器具本体を規格化された３個用の取付枠に３個まで取り付け可能な単位寸法の配線器具と略同じ寸法に形成して、前記受け口を器具本体の前面側に露出させるとともに、前記端子部を器具本体の背面側に配置し、前記端子部の中心線を器具本体の側面に対して傾斜させるとともに器具本体の前面に対して略平行にして、端子部を器具本体の前面側から見た投影面内に収めたことを特徴とするテレビターミナル。
【請求項２】
取付け部は、規格化された取付枠に設けた係止孔と係止離脱自在に係止する係止爪片であることを特徴とする請求項１記載のテレビターミナル。
【請求項３】
取付け部は、規格化された取付枠に設けた保持爪が嵌合される結合凹所であることを特徴とする請求項１記載のテレビターミナル。
【請求項４】
取付け部の取付寸法は、単位寸法の配線器具と略等しい取付寸法であることを特徴とする請求項１〜３の何れか１つに記載のテレビターミナル。
【請求項５】
前記端子部は、同軸コネクタが接続される被接続部からなることを特徴とする請求項１記載のテレビターミナル。
【請求項６】
器具本体の背面側を覆う裏カバーを設けたことを特徴とする請求項１記載のテレビターミナル。
【請求項７】
器具本体は、器具本体の背面側から同軸コネクタの受け口が挿入される挿入孔を備え、同軸コネクタの受け口の付け根に突起を設けるとともに、前記挿入孔の周面に前記突起と嵌合する溝を設けたことを特徴とする請求項１記載のテレビターミナル。
【請求項８】
器具本体は、器具本体の背面側から同軸コネクタの受け口が挿入される挿入孔を備え、同軸コネクタの受け口に同軸コネクタが接続されるねじ部を設け、前記ねじ部の周面を平行な二面で切り落とし、前記挿入孔の断面形状を前記ねじ部の円周方向の断面形状と略同じ形状に形成したことを特徴とする請求項１記載のテレビターミナル。
【請求項９】
コネクタ部の器具本体と接触する部位に凹部を設けるとともに、器具本体に前記凹部と嵌合する凸部を設けたことを特徴とする請求項１記載のテレビターミナル。
【請求項１０】
前記凸部の側面に補強用のリブを設けたことを特徴とする請求項９記載のテレビターミナル。
【発明の詳細な説明】
【０００１】
【発明の属する技術分野】
本発明は、ケーブルテレビ（ＣＡＴＶ）用のテレビターミナルに関するものである。
【０００２】
【従来の技術】
この種のテレビターミナルとしては、同軸ケーブルが接続される導電材料から形成されたコネクタ部と、前面が略矩形状に形成されるとともに施工面に固定される取付枠に結合される取付け部を有する器具本体とを備えたものがあった。このコネクタ部の一端側には同軸コネクタであるＦ型接栓の受け口が設けられ、コネクタ部の他端側には同軸ケーブルが結線される端子部が設けられている。ここで、Ｆ型接栓の受け口は器具本体の前面側に露出し、端子部は器具本体の背面側に端子部の中心線が器具本体の短辺側の側面及び前面に対して夫々平行となるようにして配置されていた。
【０００３】
【発明が解決しようとする課題】
上記構成のテレビターミナルでは、端子部に接続された同軸ケーブルは端子部の中心線の方向、すなわち、器具本体の短辺側の側面及び背面に対して夫々平行な方向に伸びるので、同軸ケーブルが埋込ボックスや他の配線器具と干渉して、配線作業がやりにくいという問題があった。
【０００４】
本発明は上記問題点に鑑みて為されたものであり、その目的とするところは、施工性を改善したテレビターミナルを提供することにある。
【０００５】
【課題を解決するための手段】
上記目的を達成するために、請求項１の発明では、同軸コネクタの受け口及び前記受け口に電気的に接続されるとともに同軸ケーブルが接続される端子部を有するコネクタ部と、前面が略矩形状に形成されるとともに施工面に固定される取付枠に結合される取付け部を有する器具本体とを備え、当該器具本体を規格化された３個用の取付枠に３個まで取り付け可能な単位寸法の配線器具と略同じ寸法に形成して、前記受け口を器具本体の前面側に露出させるとともに、前記端子部を器具本体の背面側に配置し、前記端子部の中心線を器具本体の側面に対して傾斜させるとともに器具本体の前面に対して略平行にして、端子部を器具本体の前面側から見た投影面内に収めたことを特徴とする。この発明によれば、端子部に接続された同軸ケーブルが端子部の中心線の方向に引き出されるので、このテレビターミナルを埋込ボックスに収納する際に、端子部に接続された同軸ケーブルは器具本体の側面に対して傾斜させた状態で引き出されるため、埋込ボックスのリブに同軸ケーブルが干渉するのを防止でき、しかも端子部に接続された同軸ケーブルは器具本体の前面に対して略平行となっているので、テレビターミナルと埋込ボックスの底面との間に広い空間を確保することができ、埋込ボックスへの収納を容易にすることができる。さらに、器具本体を配線器具の単位寸法と略同じ寸法に形成し、端子部を器具本体の前面側から見た投影面内に収めているので、テレビターミナルを他の配線器具と連設する際に、端子部が他の配線器具と干渉するのを防ぐことができ、取付枠に複数のテレビターミナルを連設したり、他の配線器具とともに連設することができる。
【０００６】
請求項２の発明では、請求項１の発明において、取付け部は、規格化された取付枠に設けた係止孔と係止離脱自在に係止する係止爪片であり、請求項３の発明では、取付け部は、規格化された取付枠に設けた保持爪が嵌合される結合凹所であるので、器具本体を取付枠に容易に取り付けることができる。
請求項４の発明では、請求項１乃至３の発明において、取付け部の取付寸法は、規格化された３個用の取付枠に３個まで取り付け可能な単位寸法の配線器具と略等しい取付寸法であるので、既成の取付枠を用いてテレビターミナルを埋込配線することができる。
【０００８】
請求項５の発明では、請求項１の発明において、前記端子部が同軸コネクタが接続される被接続部からなっているので、同軸ケーブルを端子部にかしめ固定する場合に比べて、同軸ケーブルの内部導体のむき代が作業者によってばらつくことがなく、内部導体と端子部とを確実に接触させることができ、コネクタ部の特性のばらつきを抑制できる。
【０００９】
請求項６の発明では、請求項１の発明において、器具本体の背面側を覆う裏カバーを設けているので、器具本体の背面を隠すことにより、見栄えを良くすることができる。
請求項７の発明では、請求項１の発明において、器具本体は、器具本体の背面側から同軸コネクタの受け口が挿入される挿入孔を備え、同軸コネクタの受け口の付け根に突起を設けるとともに、前記挿入孔の周面に前記突起と嵌合する溝を設けており、突起と溝とを嵌合させることによってコネクタ部と器具本体とのがたつきが少なくなるので、同軸コネクタの受け口に同軸コネクタを取り付ける力によって、コネクタ部が動くのを防止できる。
【００１０】
請求項８の発明では、請求項１の発明において、器具本体は、器具本体の背面側から同軸コネクタの受け口が挿入される挿入孔を備え、同軸コネクタの受け口に同軸コネクタが接続されるねじ部を設け、前記ねじ部の周面を平行な二面で切り落とし、前記挿入孔の断面形状を前記ねじ部の円周方向の断面形状と略同じ形状に形成しており、同軸コネクタの受け口と挿入孔との隙間が小さくなり、コネクタ部と器具本体とのがたつきが少なくなるので、同軸コネクタの受け口に同軸コネクタを取り付ける力によって、コネクタ部が動くのを防止できる。
【００１１】
請求項９の発明では、請求項１の発明において、コネクタ部の器具本体と接触する部位に凹部を設けるとともに、器具本体に前記凹部と嵌合する凸部を設けており、凹部と凸部とを嵌合させることによって、コネクタ部と器具本体とのがたつきを少なくすることができるので、同軸コネクタの受け口に同軸コネクタを取り付ける力によって、コネクタ部が動くのを防止できる。
【００１２】
請求項１０の発明では、請求項９の発明において、前記凸部の側面に補強用のリブを設けているので、同軸コネクタの受け口に同軸コネクタを取り付ける力によって、凸部が破損するのを防止できる。
【００１３】
【発明の実施の形態】
以下、本発明の実施の形態を図面を参照して説明する。
本実施形態のテレビターミナルは、図１（ａ）〜（ｆ）に示すように、同軸コネクタが接続されるコネクタ部１と、コネクタ部１が配設される器具本体４とから構成される。
【００１４】
器具本体４は合成樹脂製であり、図２（ａ）〜（ｅ）に示すように、背面が開口する略箱状に形成され、前面が略矩形状に形成されている。器具本体４の前面には、直方体状の突台４ａが形成され、突台４ａの両側には突台４ａよりも一段低くなった段部４ｂが形成されている。各段部４ｂの側縁には側方に突出する一対の係止爪片５ａが夫々形成され、各段部４ｂには側方に開口する結合凹所５ｂが夫々形成されており、係止爪片５ａ及び結合凹所５ｂから取付け部が構成される。突台４ａの略中央には断面円形の凹所１２が設けられ、凹所１２の底面には器具本体４の前面側と背面側とを連通する挿入孔たる孔６が穿設されている。また、両段部４ｂの裏面には夫々２個の圧着部１１が突設されており、図１（ｆ）に示すように、例えばシート材を打ち抜いて加工された裏カバー１３の孔（図示せず）に圧着部１１を夫々挿入して圧着することにより、裏カバー１３が器具本体４の背面に固定される。したがって、裏カバー１３により器具本体４の背面を隠すことができ、テレビターミナルＡの見栄えを良くすることができる。尚、この裏カバー１３に例えばＦ型接栓の加工寸法を表示することにより、銘板を別途設ける必要がなく、テレビターミナルＡのコストダウンを図ることができる。
【００１５】
コネクタ部１は、図３及び図４に示すように、導電性材料から略直方体状に形成されたボディ２０を有し、ボディ２０の一面には同軸コネクタたるＦ型接栓の受け口２が突設され、ボディ２０の受け口２を設けた面と略直交する面には、同軸コネクタが接続される被接続部からなる端子部３が形成されており、受け口２の中心線と端子部３の中心線とは略直交している。受け口２及び端子部３は夫々略円筒状に形成され、その周面には例えばＦ型接栓のプラグが螺着されるねじ部２１，２２が形成されている。また、受け口２及び端子部３の端部には夫々絶縁体２４，２４が配設されており、絶縁体２４，２４には夫々Ｆ型接栓の内部導体が挿通される挿通孔２３，２３が形成され、挿通孔２３，２３の奥には挿通孔２３，２３を介して挿通されたＦ型接栓の内部導体を挟持する導電性材料から形成されたばね体２５，２５が配設されている。ここで、各ばね体２５は絶縁体２４，２６を介してボディ２０に固定されており、ボディ２０とばね体２５，２５とは電気的に絶縁されている。また、ばね体２５，２５は例えば半田付けにより互いに電気的に接続されている。而して、受け口２及び端子部３に夫々接続されたＦ型接栓の外部導体はボディ２０を介して電気的に接続され、その内部導体はばね体２５，２５を介して電気的に接続される。尚、ボディ２０の角には面取り３０が施されており、コネクタ部１を器具本体４に取り付けた際に、器具本体４の前面側から見た投影面内よりコネクタ部１がはみ出すのを防いでいる。
【００１６】
ところで、コネクタ部１では、受け口２の付け根に円周方向に突出する突起２７，２７が突設されており、ねじ部２１の周面にはねじ部２１の周面を平行な二平面で切り取った所謂Ｈカット部２８が形成されている。また、コネクタ部１の器具本体４と接触する部位には凹部２９が形成されている。
一方、コネクタ部１の受け口２が挿入される器具本体４の孔６の周面には突起２７と嵌合する溝７が形成されるとともに、孔６の周面に互いに平行な平面部８が形成され、孔６の断面形状はねじ部２１の円周方向の断面形状と略同じ断面形状に形成されている。また、器具本体４の背面には、コネクタ部１の受け口２を孔６に挿入する際に、コネクタ部１に形成された凹部２９と嵌合する凸部９が突設されており、凸部９の側面には補強用のリブ１０が形成されている。ここに、コネクタ部１を器具本体４に取り付ける際に、端子部３の中心線が器具本体４の短辺側の側面に対して約２５度傾斜した状態で、コネクタ部１が器具本体４に取り付けられるように、凸部９は器具本体４の短辺側の側面に対して所定の角度だけ傾斜させて形成される。なお、本実施形態では器具本体４の短辺側の側面に対するコネクタ部１の傾斜角度を約２５度としているが、コネクタ部１の傾斜角度を約２５度に限定する趣旨のもではなく、埋込ボックスへの配設が容易になるような傾斜角度にコネクタ部１の傾斜角度を設定すれば良い。
【００１７】
以下にコネクタ部１を器具本体４に取り付ける手順について説明する。まず、Ｆ型接栓の受け口２を器具本体４の背面側から孔６内に挿入し、受け口２の付け根に突設された突起２７を孔６に形成された溝７と嵌合させるとともに、器具本体４の背面に突設された回り止め用の凸部９をコネクタ部１の凹部２９と嵌合させる。そして、器具本体４の前面側に露出したＦ型接栓の受け口２にワッシャ１７を挿入し、Ｆ型接栓の受け口２の周面に刻設されたねじ部２１にナット１８を螺入して、コネクタ部１とナット１８との間に器具本体４を挟持することにより、コネクタ部１を器具本体４に固定する。この時、コネクタ部１の突起２７が器具本体４の溝７と嵌合するとともに、コネクタ部１の凹部２９が器具本体４の凸部９と嵌合し、さらにコネクタ部１のねじ部２１と孔６とが嵌合するので、コネクタ部１と器具本体４との結合が強くなり、コネクタ部１のがたつきが小さくなる。したがって、器具本体４の前面に配設されたＦ型接栓の受け口２にＦ型接栓を接続し、スパナなどの工具を用いて強い力でＦ型接栓を締め付けたとしても、コネクタ部１と器具本体４とのがたつきが小さいので、Ｆ型接栓５１の締め付け力によってコネクタ部１が回転することがない。また、凸部９には補強用のリブ１０が設けられているので、Ｆ型接栓５１の締め付け力によって凸部９が破損することはない。
【００１８】
このテレビターミナルＡを、図５に示すように、合成樹脂製の３個用の取付枠４２に取り付ける場合、取付枠４２の両側片４３に対向して設けられた係止孔４４に器具本体４の係止爪片５ａを係止させることによって、器具本体４は取付枠４２に取り付けられ、取付枠４２の両側片４３及び上下片で囲まれる開口から突台４ａが露出する。一方、金属製の取付枠（図示せず）にテレビターミナルＡを取り付ける場合は、金属製の取付枠に設けられた保持爪を結合凹所５ｂに嵌合させることによって、器具本体４が取付枠に取り付けられる。係止爪片５ａ及び結合凹所５ｂの取付寸法は、それぞれ、埋込配線用の大角型連用配線器具を埋込ボックスに取り付ける場合に用いるＪＩＳ規格（ＪＩＳ  Ｃ  ８３５７等参照）で規格化された３個用の取付枠に３個まで取り付け可能な単位寸法の配線器具と略等しい取付寸法に形成されており、器具本体４の外形寸法も配線器具の単位寸法（１個モジュール寸法）と略同じ大きさに形成されているので、複数のテレビターミナルＡを取付枠に取り付けたり、テレビターミナルＡを他の配線器具と共に取付枠に取り付けることができる。
【００１９】
ここで、ＣＡＴＶ局やアンテナ側の同軸ケーブル又は受像器側の同軸ケーブルを、夫々、Ｆ型接栓の受け口２又は端子部３に接続する場合、同軸ケーブル５０，５０の端部に設けられたＦ型接栓のプラグ５２，５２を受け口２又は端子部３に夫々差し込む。Ｆ型接栓のプラグ５２，５２の外周部には夫々ナット５１，５１が回転自在に取り付けられており、ナット５１，５１をＦ型接栓の受け口２又は端子部３のねじ部２１，２２に夫々螺入することによって、同軸ケーブル５０，５０がＦ型接栓の受け口２又は端子部３に夫々接続され、同軸ケーブル５０，５０が互いに電気的に接続される。このように、本実施形態のテレビターミナルＡでは、受け口２及び端子部３に夫々Ｆ型接栓を接続しているので、端子部３に同軸ケーブルを直接接続する場合に比べて、同軸ケーブルの内部導体のむき代がばらつくことがなく、コネクタ部１の特性のばらつきが少なくなり、Ｆ型接栓の内部導体とコネクタ部１のばね体２５とを確実に接触させることができる。
【００２０】
ところで、このテレビターミナルＡは、図６に示すように、端子部３の中心線を器具本体４の短辺側の側面に対して傾斜させているので、端子部３に接続された同軸ケーブル５０も端子部３の中心線の方向、すなわち、器具本体４の短辺側の側面に対して傾斜した方向に引き出される。ところで、埋込ボックス４０の上下辺には、取付枠を固定するためのボックスねじのねじ孔が形成されたリブ４１，４１が設けられているが、同軸ケーブル５０は器具本体４の短辺側の側面に対して傾斜した方向に引き出されているので、取付枠を介してテレビターミナルＡを樹脂製の埋込ボックス４０内に配設される場合に、同軸ケーブル５０がリブ４１，４１と干渉することがなく、同軸ケーブル５０を埋込ボックス４０内に収納しやすくなっている。また、端子部３の中心線を器具本体４の短辺側の側面に対して傾斜させることにより、コネクタ部１が器具本体４の前面側から見た投影面内に収まり、器具本体４の前面側から見た投影面より突出する部分がなくなるので、テレビターミナルＡを包装する包装材料の設計がやりやすくなり、テレビターミナルＡをおさまり良く箱に収納することができる。そのうえ、このテレビターミナルＡでは、図７に示すように、端子部３の中心線を器具本体４の前面に対して略平行にしているので、テレビターミナルＡと埋込ボックス４０の底面との間に広い空間を確保することができ、端子部３に接続された同軸ケーブル５０を埋込ボックス４０内に収納しやすくなっている。
【００２１】
【発明の効果】
上述のように、請求項１の発明は、同軸コネクタの受け口及び前記受け口に電気的に接続されるとともに同軸ケーブルが接続される端子部を有するコネクタ部と、前面が略矩形状に形成されるとともに施工面に固定される取付枠に結合される取付け部を有する器具本体とを備え、当該器具本体を規格化された３個用の取付枠に３個まで取り付け可能な単位寸法の配線器具と略同じ寸法に形成して、前記受け口を器具本体の前面側に露出させるとともに、前記端子部を器具本体の背面側に配置し、前記端子部の中心線を器具本体の側面に対して傾斜させるとともに器具本体の前面に対して略平行にして、端子部を器具本体の前面側から見た投影面内に収めたことを特徴とする。この発明によれば、端子部に接続された同軸ケーブルが端子部の中心線の方向に引き出されるので、このテレビターミナルを埋込ボックスに収納する際に、端子部に接続された同軸ケーブルは器具本体の側面に対して傾斜させた状態で引き出されるため、埋込ボックスのリブに同軸ケーブルが干渉するのを防止でき、しかも端子部に接続された同軸ケーブルは器具本体の前面に対して略平行となっているので、テレビターミナルと埋込ボックスの底面との間に広い空間を確保することができ、埋込ボックスへの収納を容易にすることができ、テレビターミナルの施工性が向上するという効果がある。そのうえ、器具本体を配線器具の単位寸法を略同じ寸法に形成し、端子部を器具本体の前面側から見た投影面内に収めているので、テレビターミナルを他の配線器具と連設する際に、端子部が他の配線器具と干渉するのを防ぐことができ、取付枠に複数のテレビターミナルを連設したり、他の配線器具とともに連設することができるという効果がある。
【００２２】
請求項２の発明は、取付け部は、規格化された取付枠に設けた係止孔と係止離脱自在に係止する係止爪片であり、請求項３の発明は、取付け部は、規格化された取付枠に設けた保持爪が嵌合される結合凹所であるので、器具本体を取付枠に容易に取り付けることができるという効果がある。
請求項４の発明は、取付け部の取付寸法は、規格化された３個用の取付枠に３個まで取り付け可能な単位寸法の配線器具と略等しい取付寸法であるので、既製の取付枠を用いてテレビターミナルを埋込配線することができるという効果がある。
【００２４】
請求項５の発明は、前記端子部が同軸コネクタが接続される被接続部からなっているので、同軸ケーブルを端子部にかしめ固定する場合に比べて、同軸ケーブルの内部導体のむき代が作業者によってばらつくことがなく、内部導体と端子部とを確実に接触させることができ、コネクタ部の特性のばらつきを抑制でき、施工品質が向上するという効果がある。
【００２５】
請求項６の発明は、器具本体の背面側を覆う裏カバーを設けているので、器具本体の背面を隠すことにより、見栄えを良くできるという効果がある。そのうえ、裏カバーには端子部に接続する同軸ケーブルの加工寸法等の表示を設けることができるので、銘板を別途設ける必要がなく、コストダウンを図ることができるという効果もある。
【００２６】
請求項７の発明は、器具本体は、器具本体の背面側から同軸コネクタの受け口が挿入される挿入孔を備え、同軸コネクタの受け口の付け根に突起を設けるとともに、前記挿入孔の周面に前記突起と嵌合する溝を設けており、突起と溝とを嵌合させることによってコネクタ部と器具本体とのがたつきが少なくなるので、同軸コネクタの受け口に同軸コネクタを取り付ける力によって、コネクタ部が動くのを防止できるという効果がある。
【００２７】
請求項８の発明は、器具本体は、器具本体の背面側から同軸コネクタの受け口が挿入される挿入孔を備え、同軸コネクタの受け口に同軸コネクタが接続されるねじ部を設け、前記ねじ部の周面を平行な二面で切り落とし、前記挿入孔の断面形状を前記ねじ部の円周方向の断面形状と略同じ形状に形成しており、同軸コネクタの受け口と挿入孔との隙間が小さくなり、コネクタ部と器具本体とのがたつきがさらに少なくなるので、同軸コネクタの受け口に同軸コネクタを取り付ける力によって、コネクタ部が動くのを防止できるという効果がある。
【００２８】
請求項９の発明は、コネクタ部の器具本体と接触する部位に凹部を設けるとともに、器具本体に前記凹部と嵌合する凸部を設けており、凹部と凸部とを嵌合させることによって、コネクタ部と器具本体とのがたつきを少なくすることができるので、同軸コネクタの受け口に同軸コネクタを取り付ける力によって、コネクタ部が動くのを防止できるという効果がある。
【００２９】
請求項１０の発明は、前記凸部の側面に補強用のリブを設けているので、同軸コネクタの受け口に同軸コネクタを取り付ける力によって、凸部が破損するのを防止できるという効果がある。
【図面の簡単な説明】
【図１】本実施形態のテレビターミナルを示し、（ａ）は正面図、（ｂ）は上面図、（ｃ）は下面図、（ｄ）は側断面図、（ｅ）は裏面図、（ｆ）は要部断面図である。
【図２】同上のテレビターミナルの器具本体を示し、（ａ）は正面図、（ｂ）は右側から見た一部破断せる側面図、（ｃ）は裏面図、（ｄ）は下面図、（ｅ）は下側からみた断面図である。
【図３】同上のテレビターミナルのコネクタ部を示し、（ａ）は正面図、（ｂ）は左側から見た側面図、（ｃ）は右側から見た側面図、（ｄ）は下面図である。
【図４】同上のテレビターミナルのコネクタ部を示し、（ａ）は断面図、（ｂ）は側面図である。
【図５】同上のテレビターミナルを取付枠に取り付けた状態を示す斜視図である。
【図６】同上のテレビターミナルを埋込ボックスに取り付けた状態を正面から見た図である。
【図７】同上のテレビターミナルを埋込ボックスに取り付けた状態を右側から見た図である。
【符号の説明】
２  受け口
３  端子部
４  器具本体
【図１】
0003674272.tif 000002
【図２】
0003674272.tif 000003
【図３】
0003674272.tif 000004
【図４】
0003674272.tif 000005
【図５】
0003674272.tif 000006
【図６】
0003674272.tif 000007
【図７】
0003674272.tif 000008